(57)【要約】  本発明の実施形態に係るバッテリモジュールは、複数のバッテリセルから構成され、前記バッテリモジュールは、前記複数のバッテリセルを連結して形成される一つの（＋）出力端子と、前記（＋）出力端子と外部装置との間の電流経路上に配備されてバッテリモジュールの充電または放電を遮断する電界効果トランジスタ（ＦＥＴ）と、前記電界効果トランジスタ（ＦＥＴ）を制御する保護ＩＣチップと、前記バッテリモジュールの高温の有無を感知する高温感知部を備え、前記高温感知部の一方の端は前記（＋）出力端子に接続され、前記高温感知部の他方の端は前記保護ＩＣチップの一つの入力ポートに接続され、前記高温感知部は、互いに直列に接続された複数の正温度係数（ＰＴＣ）サーミスタを備えてもよい。
2022501786.tif 000002
【特許請求の範囲】
【請求項１】
複数のバッテリセルから構成されるバッテリモジュールであって、
前記バッテリモジュールは、
前記複数のバッテリセルを連結して形成された一つの（＋）出力端子と、
前記（＋）出力端子と外部装置との間の電流経路上に配備されてバッテリモジュールの充電または放電を遮断する電界効果トランジスタ（ＦＥＴ）と、
前記電界効果トランジスタ（ＦＥＴ）を制御する保護ＩＣ（集積回路）チップと、
前記バッテリモジュールの高温の有無を感知する高温感知部と、
を備え、
前記高温感知部の一方の端は前記（＋）出力端子に接続され、
前記高温感知部の他方の端は前記保護ＩＣチップの一つの入力ポートに接続され、
前記高温感知部は、互いに直列に接続された複数の正温度係数（ＰＴＣ）サーミスタを備えることを特徴とするバッテリモジュール。
【請求項２】
前記複数の正温度係数（ＰＴＣ）サーミスタのそれぞれは、所定の臨界温度以上になると誘電率が減少する温度感応誘電率変動部を備え、
前記複数の正温度係数（ＰＴＣ）サーミスタのそれぞれの温度感応誘電率変動部は、前記複数のバッテリセルのそれぞれの表面に直接的に触れるように配備されていることを特徴とする請求項１に記載のバッテリモジュール。
【請求項３】
前記保護ＩＣチップは、前記高温感知部の他方の端が接続される前記保護ＩＣチップの一つの入力ポートに印加される電圧が低くなる場合、前記複数のバッテリセルのうちのいずれか一つ以上のバッテリセルにおいて高温が感知されたと判断し、前記電界効果トランジスタ（ＦＥＴ）をオフにして前記バッテリモジュールの充電または放電を遮断することを特徴とする請求項１または２に記載のバッテリモジュール。
【請求項４】
複数のバッテリセルから構成されるバッテリモジュールであって、
前記バッテリモジュールは、
前記複数のバッテリセルを連結して形成される一つの（＋）出力端子と、
前記（＋）出力端子と外部装置との間の電流経路上に配備された電界効果トランジスタ（ＦＥＴ）と、
前記電界効果トランジスタ（ＦＥＴ）を制御する保護ＩＣチップと、
前記複数のバッテリセルのそれぞれを包む保温フィルムと、
前記バッテリモジュールの高温の有無を感知する高温感知部と、
を備え、
前記高温感知部の一方の端は前記（＋）出力端子に接続され、
前記高温感知部の他方の端は前記保護ＩＣチップの一つの入力ポートに接続され、
前記高温感知部は、互いに直列に接続された複数の正温度係数（ＰＴＣ）サーミスタを備えることを特徴とするバッテリモジュール。
【請求項５】
前記複数の正温度係数（ＰＴＣ）サーミスタのそれぞれは、所定の臨界温度以上になると誘電率が減少する温度感応誘電率変動部を備え、
前記複数の正温度係数（ＰＴＣ）サーミスタのそれぞれの温度感応誘電率変動部は、
前記複数のバッテリセルのそれぞれの表面を包む保温フィルムに触れるように配備されていることを特徴とする請求項４に記載のバッテリモジュール。
【請求項６】
前記保護ＩＣチップは、前記高温感知部の他方の端が接続される前記保護ＩＣチップの一つの入力ポートに印加される電圧が低くなる場合、前記複数のバッテリセルのうちのいずれか一つ以上のバッテリセルにおいて高温が感知されたと判断し、前記電界効果トランジスタ（ＦＥＴ）をオフにして前記バッテリモジュールの充電または放電を遮断することを特徴とする請求項４または５に記載のバッテリモジュール。
【請求項７】
複数のバッテリセルから構成されるバッテリモジュールにおいてバッテリセルの高温を感知する方法であって、
保護ＩＣチップの一つの入力ポートに印加される電圧を測定する電圧測定ステップと、  測定された電圧に基づいて、バッテリセルの高温の有無を判断する高温有無判断ステップと、
前記高温有無判断ステップにおいてバッテリセルが高温であると判断される場合、バッテリモジュールの充電または放電を遮断する充電または放電遮断ステップと、
を含み、
前記保護ＩＣチップの一つの入力ポートに印加される電圧は、複数のバッテリセルのそれぞれに触れて配備され且つ互いに直列に接続された複数の正温度係数（ＰＴＣ）サーミスタにより変動されることを特徴とする方法。
【請求項８】
前記高温有無判断ステップは、
前記保護ＩＣチップの一つの入力ポートに印加される電圧が所定の基準電圧未満である場合、すべてのバッテリセルが高温ではないと判断し、
前記保護ＩＣチップの一つの入力ポートに印加される電圧が所定の基準電圧以上である場合、複数のバッテリセルのうちのいずれか一つ以上のバッテリセルにおいて高温が発生したと判断することを特徴とする請求項７に記載の方法。
【請求項９】
請求項１から６のいずれか一項に記載のバッテリモジュールを備えるバッテリパック。
【請求項１０】
請求項１から６のいずれか一項に記載のバッテリモジュールが搭載されている電子装置。
【発明の詳細な説明】
【技術分野】
【０００１】
本発明は、バッテリセルの高温を検出して、高温が検出される場合に出力を遮断するバッテリモジュールに関する。
【０００２】
さらに詳しくは、バッテリセルのそれぞれに正温度係数（ＰＴＣ）素子及び保温フィルムを配備するが、保護ＩＣ（集積回路）チップの一つのポートのみを用いてバッテリセルの高温を検出し、高温が検出される場合に出力を遮断するバッテリモジュールに関する。
【背景技術】
【０００３】
通常のバッテリモジュールは、充／放電可能な複数のバッテリセルから構成されている。
【０００４】
特に、Ｌｉイオンバッテリセルを長時間にわたって使用する場合、バッテリセルからは熱が発生するが、特に、複数のバッテリセルから構成される大容量のバッテリモジュールは、充電または放電の際の電流量の増加に伴い、さらに多くの熱の発生を伴ってしまう。
【０００５】
このように、バッテリモジュールの内部温度が上昇すると、バッテリモジュールの安定性に問題が生じる虞がある。
【０００６】
したがって、バッテリモジュールの温度が所定の値以上に上昇すると、バッテリモジュールの充電または放電を遮断しなければならない。
【０００７】
このために、従来には、バッテリセルのそれぞれに温度センサを配備して、各バッテリセルに配備される温度センサが保護ＩＣチップに温度情報を伝送して、保護ＩＣチップは、伝送された温度に基づいて、バッテリモジュールの充電または放電を遮断していた。
【０００８】
しかしながら、従来の技術においては、バッテリセルのそれぞれに配備される温度センサが保護ＩＣチップにバッテリセルの温度値を伝送するがゆえに、保護ＩＣチップに温度の受信のための多数のポートが必要になるという不都合があった。
【０００９】
また、従来の技術においては、バッテリセルのそれぞれに温度センサが配備されるが、温度センサが位置する個所のバッテリセルの温度のみを測定して保護ＩＣチップに伝送していた。このため、バッテリセルにおいて温度センサから遠く離れている個所において発生する発熱現象を感知する上で不都合があった。
【００１０】
一方、時と場合に応じて、バッテリセルのうち、どのようなバッテリセルが高温であるかを確認する必要なしに、ある一つのセルにおいてのみ高温が感知されても、バッテリモジュールの安定性のためにバッテリモジュールの充電または放電を遮断することが好ましい場合がある。
【００１１】
したがって、本発明においては、従来の技術の問題を解決するために、バッテリセルのうち、どのようなセルにおいて高温が感知されたかは不明であるものの、保護ＩＣチップの一つのポートを用いてバッテリセルの高温を感知し、バッテリセルのそれぞれの全体的な温度を測定してバッテリモジュールの充電または放電を遮断することを提案する。
【先行技術文献】
【特許文献】
【００１２】
【特許文献１】韓国登録特許第１６２８８５０号公報
【発明の概要】
【発明が解決しようとする課題】
【００１３】
本発明は、保護ＩＣチップの一つのポートのみを用いてバッテリセルの高温を感知して充電または放電を遮断するバッテリモジュールを提供する。
【００１４】
また、本発明は、バッテリセルのそれぞれの全体的な温度を測定するバッテリモジュールを提供する。
【課題を解決するための手段】
【００１５】
本発明の実施形態に係るバッテリモジュールは、複数のバッテリセルから構成され、前記バッテリモジュールは、前記複数のバッテリセルを連結して形成される一つの（＋）出力端子と、前記（＋）出力端子と外部装置との間の電流経路上に配備されてバッテリモジュールの充電または放電を遮断する電界効果トランジスタ（ＦＥＴ）と、前記電界効果トランジスタ（ＦＥＴ）を制御する保護ＩＣ（集積回路）チップと、前記バッテリモジュールの高温の有無を感知する高温感知部と、を備え、前記高温感知部の一方の端は前記（＋）出力端子に接続され、前記高温感知部の他方の端は前記保護ＩＣチップの一つの入力ポートに接続され、前記高温感知部は、互いに直列に接続された複数の正温度係数（ＰＴＣ）サーミスタを備えてもよい。
【００１６】
前記複数の正温度係数（ＰＴＣ）サーミスタのそれぞれは、所定の臨界温度以上になると誘電率が減少する温度感応誘電率変動部を備え、前記温度感応誘電率変動部は、前記複数のバッテリセルのそれぞれの表面に直接的に触れるように配備されてもよい。
【００１７】
前記保護ＩＣチップは、前記高温感知部の他方の端が接続される前記保護ＩＣチップの一つの入力ポートに印加される電圧が低くなる場合、前記複数のバッテリセルのうちのいずれか一つ以上のバッテリセルにおいて高温が感知されたと判断し、前記電界効果トランジスタ（ＦＥＴ）をオフにして前記バッテリモジュールの充電または放電を遮断してもよい。
【００１８】
一方、本発明の実施形態に係るバッテリモジュールは、複数が連結されて一つのバッテリパックとして実現されてもよい。
【００１９】
一方、本発明の実施形態に係るバッテリモジュールは、様々な電子装置に搭載されてもよい。
【００２０】
本発明の他の実施形態に係るバッテリモジュールは、複数のバッテリセルから構成され、前記バッテリモジュールは、前記複数のバッテリセルを連結して形成される一つの（＋）出力端子と、前記（＋）出力端子と外部装置との間の電流経路上に配備される電界効果トランジスタ（ＦＥＴ）と、前記電界効果トランジスタ（ＦＥＴ）を制御する保護ＩＣチップと、前記複数のバッテリセルのそれぞれを包む保温フィルム（ｔｈｅｒｍａｌ  ｆｉｌｍ）と、前記バッテリモジュールの高温の有無を感知する高温感知部と、を備え、前記高温感知部の一方の端は前記（＋）出力端子に接続され、前記高温感知部の他方の端は前記保護ＩＣチップの一つの入力ポートに接続され、前記高温感知部は、互いに直列に接続された複数の正温度係数（ＰＴＣ）サーミスタを備えてもよい。
【００２１】
前記複数の正温度係数（ＰＴＣ）サーミスタのそれぞれは、所定の臨界温度以上になると誘電率が減少する温度感応誘電率変動部を備え、前記温度感応誘電率変動部は、前記複数のバッテリセルのそれぞれの表面を包む保温フィルムに触れるように配備されてもよい。
【００２２】
前記保護ＩＣチップは、前記高温感知部の他方の端が接続される前記保護ＩＣチップの一つの入力ポートに印加される電圧が低くなる場合、前記複数のバッテリセルのうちのいずれか一つ以上のバッテリセルにおいて高温が感知されたと判断し、前記電界効果トランジスタ（ＦＥＴ）をオフにして前記バッテリモジュールの充電または放電を遮断してもよい。
【００２３】
一方、本発明の他の実施形態に係るバッテリモジュールは、複数が連結されて一つのバッテリパックとして実現されてもよい。
【００２４】
一方、本発明の他の実施形態に係るバッテリモジュールは、様々な電子装置に搭載されてもよい。
【００２５】
本発明のさらに他の実施形態に係る、複数のバッテリセルから構成されるバッテリモジュールにおいてバッテリセルの高温を感知する方法は、保護ＩＣチップの一つの入力ポートに印加される電圧を測定する電圧測定ステップと、前記測定された電圧に基づいて、バッテリセルの高温の有無を判断する高温有無判断ステップと、前記高温有無判断ステップにおいてバッテリセルが高温であると判断される場合、バッテリモジュールの充電または放電を遮断する充電または放電遮断ステップと、を含み、前記保護ＩＣチップの一つの入力ポートに印加される電圧は、複数のバッテリセルのそれぞれに触れて配備され且つ互いに直列に接続された複数の正温度係数（ＰＴＣ）サーミスタにより変動されてもよい。
【００２６】
前記高温有無判断ステップは、前記保護ＩＣチップの一つの入力ポートに印加される電圧が所定の基準電圧未満である場合、すべてのバッテリセルが高温ではないと判断し、前記保護ＩＣチップの一つの入力ポートに印加される電圧が所定の基準電圧以上である場合、複数のバッテリセルのうちのいずれか一つ以上のバッテリセルにおいて高温が発生したと判断してもよい。
【発明の効果】
【００２７】
本発明は、保護ＩＣチップの一つのポートのみを用いて、バッテリセルの高温を感知して充電または放電を遮断することができる。
【００２８】
また、本発明は、バッテリセルのそれぞれの全体的な温度を測定することができる。
【図面の簡単な説明】
【００２９】
【図１】本発明の実施形態に係るバッテリモジュールを示す図である。
【図２】本発明の他の実施形態に係るバッテリモジュールを示す図である。
【図３】本発明のさらに他の実施形態に係るバッテリセルの高温を感知する方法を示す手順図である。
【発明を実施するための形態】
【００３０】
以下では、添付図面に基づいて、本発明が属する技術分野において通常の知識を有する者が容易に実施できるように本発明の実施の形態について詳しく説明する。しかしながら、本発明は、種々の異なる形態に具体化可能であり、ここで説明する実施の形態に何ら限定されるものではない。なお、図中、本発明を明確に説明するために、説明とは無関係な部分は省略し、明細書の全般に亘って、類似の部分には類似の図面符号を付している。
【００３１】
「第１の」、「第２の」などのように序数を含む言い回しは、様々な構成要素を説明するうえで使用可能であるが、前記構成要素は、前記言い回しによって何等限定されない。前記言い回しは、ある構成要素を他の構成要素から区別する目的でのみ用いられる。例えば、本発明の権利範囲を逸脱しない範囲内において第１の構成要素は第２の構成要素と命名されてもよく、同様に、第２の構成要素もまた第１の構成要素と命名されてもよい。本出願において用いた用語は、単に特定の実施の形態を説明するために用いられたものであり、本発明を限定しようとする意図はない。単数形での表現は、文脈からみて明らかに他の意味を有さない限り、複数形での表現を含む。
【００３２】
明細書の全般に亘って、ある部分が他の部分と「連結」されているとか、「接続」されているとか、と言及された場合、これは、前記ある部分が前記他の部分に「直接的に接続されたり接続」されたりする場合だけではなく、これらの間に他の素子を間に挟んで「電気的に接続されたり接続」されたりする場合をも含む。なお、ある部分がある構成要素を「備える」としたとき、これは、特に断りのない限り、他の構成要素を除外するわけではなく、他の構成要素をさらに備えていてもよいことを意味する。本願の明細書の全般に亘って用いられる度合いの言い回しである「〜（する）ステップ」又は「〜のステップ」は、「〜のためのステップ」を意味するものではない。
【００３３】
本発明において用いられる用語としては、本発明における機能を考慮しつつ、できる限り現在広く用いられている一般的な用語を選択したが、これは、当分野に携わっている技術者の意図又は判例、新たな技術の出現などによって異なる。なお、特定の場合は、出願人が任意に選定した用語もあり、この場合に、当該する発明の説明の部分の欄において詳しくその意味を記載する。よって、本発明において用いられる用語は、単なる用語の名称ではなく、その用語が有する意味と本発明の全般に亘っての内容を踏まえて定義されるべきである。
【００３４】
１．本発明の実施形態に係るバッテリモジュール
図１は、本発明の実施形態に係るバッテリモジュールの構成を示す図である。
【００３５】
以下では、図１に基づいて、本発明の実施形態に係るバッテリモジュールについて説明する。
【００３６】
本発明の実施形態に係るバッテリモジュールは、複数のバッテリセルから構成され、前記バッテリモジュールは、前記複数のバッテリセルを連結して形成される一つの（＋）出力端子と、前記（＋）出力端子と外部装置との間の電流経路上に配備される電界効果トランジスタ（ＦＥＴ）１００と、前記電界効果トランジスタ（ＦＥＴ）１００を制御する保護ＩＣ（集積回路）チップ２００と、前記バッテリモジュールの高温の有無を感知する高温感知部を備えてもよい。
【００３７】
具体的に、前記高温感知部は、一方の端は前記（＋）出力端子に接続され、他方の端は前記保護ＩＣチップの一つの入力ポートに接続されてもよい。
【００３８】
一方、前記高温感知部は、互いに直列に接続された複数の正温度係数（ＰＴＣ）サーミスタを備えてもよい。
【００３９】
一方、前記複数の正温度係数（ＰＴＣ）サーミスタの数は、前記バッテリモジュールを構成する複数のバッテリセルの数と同数であってもよい。
【００４０】
一方、前記複数の正温度係数（ＰＴＣ）サーミスタのそれぞれは、所定の臨界温度以上になると誘電率が減少する温度感応誘電率変動部を備え、前記温度感応誘電率変動部は、前記複数のバッテリセルのそれぞれの表面に直接的に触れるように配備されてもよい。
【００４１】
例えば、図１に示すように、第１乃至第４のバッテリセル１１〜１４が一つのモジュールを形成する場合、前記高温感知部は、第１乃至第４の正温度係数（ＰＴＣ）サーミスタ３０１〜３０４を備え、第１乃至第４のバッテリセル１１〜１４のそれぞれの表面には、第１乃至第４の正温度係数（ＰＴＣ）サーミスタ３０１〜３０４が配備され、第１乃至第４の正温度係数（ＰＴＣ）サーミスタ３０１〜３０４は、互いに直列に接続されてもよい。
【００４２】
換言すれば、第１の正温度係数（ＰＴＣ）サーミスタ３０１は第１のバッテリセル１１の表面に配備され、一方の端は前記（＋）出力端子に接続され、他方の端は第２の正温度係数（ＰＴＣ）サーミスタ３０２の一方の端に接続され、前記第２の正温度係数（ＰＴＣ）サーミスタ３０２は第２のバッテリセル１２の表面に配備され、他方の端は第３の正温度係数（ＰＴＣ）サーミスタ３０３の一方の端に接続されてもよい。
【００４３】
一方、第３の正温度係数（ＰＴＣ）サーミスタ３０３は、一方の端は前記第２の正温度係数（ＰＴＣ）サーミスタ３０２の他方の端に接続され、他方の端は第４の正温度係数（ＰＴＣ）サーミスタ３０４の一方の端に接続され、第４の正温度係数（ＰＴＣ）サーミスタ３０４は一方の端は前記第３の正温度係数（ＰＴＣ）サーミスタ３０３の他方の端に接続され、他方の端は前記保護ＩＣチップ２００の所定の入力ポートに接続されてもよい。
【００４４】
これにより、保護ＩＣチップ２００は、一つのポートのみを用いてバッテリセルの高温の有無を感知することができるので、多数のポートが温度の感知のために割り当てられていた従来の場合に比べてポートの使用効率性が高くなる。
【００４５】
具体的に、複数のバッテリセルのそれぞれの表面に配備され且つ互いに直列に接続されている複数の正温度係数（ＰＴＣ）サーミスタは、複数のバッテリセルのうちのいずれか一つのセルにおいて高温が発生すると、高温が発生したバッテリセルの表面に配備されている正温度係数（ＰＴＣ）サーミスタの抵抗が急増して、直接的に接続されている全体の正温度係数（ＰＴＣ）サーミスタの抵抗が増加する。全体の正温度係数（ＰＴＣ）サーミスタの抵抗が増加すると、前記保護ＩＣチップの所定の入力ポートには高温が発生しなかったときよりも低い電圧が印加され、保護ＩＣチップは、これを感知してバッテリセルのうちのいずれか一つ以上において高温が発生したと判断して前記電界効果トランジスタ（ＦＥＴ）１００を制御してバッテリモジュールの充電または放電を遮断することができる。
【００４６】
すなわち、保護ＩＣチップがバッテリセルのそれぞれの温度情報を複数のポートを用いて（または、多チャンネルＡＦＥ（アナログフロントエンド）を用いて）受け取っていた従来の場合に比べて、ポート数が低減される。
【００４７】
一方、本発明の実施形態に係るバッテリモジュールは、複数が連結されて一つのバッテリパックとして実現されてもよい。
【００４８】
一方、本発明の実施形態に係るバッテリモジュールは、電子装置に搭載されてもよい。
【００４９】
例えば、前記電子装置は、ノート型パソコン、携帯電話、個人情報端末（ＰＤＡ）、ドローンなどであってもよい。
【００５０】
２．本発明の他の実施形態に係るバッテリモジュール
図２は、本発明の他の実施形態に係るバッテリモジュールを示す図である。
【００５１】
以下では、図２に基づいて、本発明の他の実施形態に係るバッテリモジュールについて説明する。
【００５２】
本発明の他の実施形態に係るバッテリモジュールは、複数のバッテリセルから構成されてもよい。そして、前記バッテリモジュールは、前記複数のバッテリセルを連結して形成される一つの（＋）出力端子と、前記（＋）出力端子と外部装置との間の電流経路上に配備される電界効果トランジスタ（ＦＥＴ）１００と、前記電界効果トランジスタ（ＦＥＴ）１００を制御する保護ＩＣチップ２００と、前記複数のバッテリセルのそれぞれを包む保温フィルム（ｔｈｅｒｍａｌ  ｆｉｌｍ）と、前記バッテリモジュールの高温の有無を感知する高温感知部を備えてもよい。
【００５３】
具体的に、前記複数のバッテリセルのそれぞれは保温フィルムに包まれており、隣り合うバッテリセルからは所定の間隔だけ離れて配置されてもよい。このとき、離れる所定の間隔は、隣り合うバッテリセルの温度により隣り合うバッテリセルが影響を受けない値である。
【００５４】
一方、前記高温感知部の一方の端は前記（＋）出力端子に接続され、他方の端は前記保護ＩＣチップの一つの入力ポートに接続されてもよい。
【００５５】
一方、前記高温感知部は、互いに直列に接続された複数の正温度係数（ＰＴＣ）サーミスタを備えてもよい。
【００５６】
一方、前記複数の正温度係数（ＰＴＣ）サーミスタの数は、前記複数のバッテリセルの数と同数であってもよい。
【００５７】
一方、前記複数の正温度係数（ＰＴＣ）サーミスタのそれぞれは、所定の臨界温度以上になると誘電率が減少する温度感応誘電率変動部を備えてもよい。
【００５８】
前記温度感応誘電率変動部は、前記複数のバッテリセルのそれぞれを包んでいる保温フィルムのそれぞれに直接的に触れるように配備されてもよい。
【００５９】
換言すれば、個別バッテリセルごとに保温フィルムに包まれていて、保温フィルムの温度を感知する場合、前記温度感応誘電率変動部が配備される特定の個所の温度ではなく、当該バッテリセルの全体的な温度を感知することができる。
【００６０】
例えば、図１に示すように、第１乃至第４のバッテリセル１１〜１４が一つのモジュールを形成する場合、前記高温感知部は、第１乃至第４の正温度係数（ＰＴＣ）サーミスタ３０１〜３０４を備え、第１乃至第４のバッテリセル１１〜１４のそれぞれは、それぞれのバッテリセルを包む第１乃至第４の保温フィルム２１〜２４を備えてもよく、前記第１乃至第４の保温フィルム２１〜２４の上のそれぞれには、第１乃至第４の正温度係数（ＰＴＣ）サーミスタが配備され、第１乃至第４の正温度係数（ＰＴＣ）サーミスタ３０１〜３０４は互いに直列に接続されてもよい。
【００６１】
換言すれば、第１の正温度係数（ＰＴＣ）サーミスタ３０１は、第１のバッテリセル１１の第１の保温フィルム２１の上に配備され、一方の端は前記（＋）出力端子に接続され、他方の端は第２の正温度係数（ＰＴＣ）サーミスタ３０２の一方の端に接続され、前記第２の正温度係数（ＰＴＣ）サーミスタ３０２は、第２の保温フィルム２２の上に配備され、他方の端は第３の正温度係数（ＰＴＣ）サーミスタ３０３の一方の端に接続されてもよい。
【００６２】
一方、第３の正温度係数（ＰＴＣ）サーミスタ３０３は、一方の端は前記第２の正温度係数（ＰＴＣ）サーミスタ３０２の他方の端に接続され、他方の端は第４の正温度係数（ＰＴＣ）サーミスタ３０４の一方の端に接続され、第４の正温度係数（ＰＴＣ）サーミスタ３０４は一方の端は前記第３の正温度係数（ＰＴＣ）サーミスタ３０３の他方の端に接続され、他方の端は前記保護ＩＣチップ２００の所定の入力ポートに接続されてもよい。
【００６３】
これにより、保護ＩＣチップ２００は、一つのポートのみを用いてバッテリセルの高温の有無を感知することができる。
【００６４】
具体的に、複数のバッテリセルのそれぞれの保温フィルムの上に配備され且つ互いに直列に接続されている正温度係数（ＰＴＣ）サーミスタは、複数のバッテリセルの保温フィルムのうちのいずれか一つの保温フィルムにおいて高温が発生すると、高温が発生した保温フィルムの上に配備されている正温度係数（ＰＴＣ）サーミスタの抵抗が急増して、直列に接続されている全体の正温度係数（ＰＴＣ）サーミスタの抵抗が増加する。
【００６５】
全体の正温度係数（ＰＴＣ）サーミスタの抵抗が増加すると、前記保護ＩＣチップの所定の入力ポートには高温が発生しなかったときよりも低い電圧が印加される。保護ＩＣチップは、これを感知して、バッテリセルのうちのいずれか一つ以上において高温が発生したと判断して、前記電界効果トランジスタ（ＦＥＴ）１００を制御してバッテリモジュールの充電または放電を遮断することができる。
【００６６】
すなわち、保護ＩＣチップがバッテリセルのそれぞれの温度情報を複数のポートを用いて（または、多チャンネルＡＦＥ（アナログフロントエンド）を用いて）受け取っていた従来の場合に比べて、ポートの数が低減される。
【００６７】
一方、本発明の他の実施形態に係るバッテリモジュールは、複数が連結されて一つのバッテリパックとして実現されてもよい。
【００６８】
一方、本発明の他の実施形態に係るバッテリモジュールは、電子装置に搭載されてもよい。
【００６９】
例えば、前記電子装置は、ノート型パソコン、携帯電話、個人情報端末（ＰＤＡ）、ドローンなどであってもよい。
【００７０】
３．本発明のさらに他の実施形態に係るバッテリセルの高温感知方法
図３は、本発明のさらに他の実施形態に係るバッテリセルの高温を感知する方法を示す手順図である。
【００７１】
本発明のさらに他の実施形態に係るバッテリセルの高温感知方法は、保護ＩＣチップの一つの入力ポートに印加される電圧を測定する電圧測定ステップ（Ｓ１００）と、前記測定された電圧に基づいて、バッテリセルの高温の有無を判断する高温有無判断ステップ（Ｓ２００）と、前記高温有無判断ステップ（Ｓ２００）においてバッテリセルが高温であると判断される場合、バッテリモジュールの充電または放電を遮断する充電または放電遮断ステップ（Ｓ３３０）と、を含んでもよい。
【００７２】
具体的に、前記電圧測定ステップ（Ｓ１００）において測定される前記保護ＩＣチップの一つの入力ポートに印加される電圧は、複数のバッテリセルのそれぞれに触れて配備され、互いに直列に接続された複数の正温度係数（ＰＴＣ）サーミスタにより変動されてもよい。
【００７３】
一方、前記高温有無判断ステップ（Ｓ２００）においては、前記保護ＩＣチップの一つの入力ポートに印加される電圧が所定の基準電圧未満である場合、すべてのバッテリセルが高温ではないと判断（Ｓ３１０）し、前記保護ＩＣチップの一つの入力ポートに印加される電圧が所定の基準電圧以上である場合、複数のバッテリセルのうちのいずれか一つ以上のバッテリセルにおいて高温が発生したと判断（Ｓ３２０）してもよい。
【００７４】
一方、本発明の技術的思想は、前記実施形態に基づいて具体的に記述されたが、前記実施形態はその説明のためのものであり、その制限のためのものではないということに留意すべきである。なお、本発明の技術分野における当業者であれば、本発明の技術思想の範囲内において種々の実施形態が実施可能であるということが理解できる筈である。
【図１】
2022501786.tif 000003
【図２】
2022501786.tif 000004
【図３】
2022501786.tif 000005
【国際調査報告】
2022501786.tif 000006
2022501786.tif 000007
2022501786.tif 000008
2022501786.tif 000009